(57)【特許請求の範囲】
【請求項１】
ファンを駆動するモータを保持するモータベースであって、
前記モータベースは、前記モータを保持するモータ保持部と、
前記モータ保持部をはさんで設けられるモータベース上面およびモータベース下面とを有し、
前記モータベース上面は、モータベース脚部側に位置する第１上面部と、第１上面部から前面側に連続して設けられる第２上面部と、前記第２上面部の前側端部から上方に形成される前面固定部と、前記第２上面部の左右側端部に下方に形成される折曲げ片と、を有し、
前記第１上面部の幅をＷａ、前記第２上面部の幅をＷｂ、前記折曲げ片の板厚をｔとしたときに、Ｗｂ＞Ｗａ＋２ｔの関係を満たすように前記第２上面部が前記第１上面部よりも幅広に構成されるモータベース。
【請求項２】
前記第１上面部の前後方向の長さに対して、前記第２上面部の前後方向の長さが２倍に構成される請求項１に記載のモータベース。
【請求項３】
前記モータベース下面の前後方向の長さは、前記第１上面部の長さと等しく、前記モータベース下面の幅は、前記第１上面部の幅と等しく構成される請求項２に記載のモータベース。
【請求項４】
請求項１〜３のいずれかに記載のモータベースを備えた冷凍サイクル装置の室外ユニット。
【発明の詳細な説明】
【技術分野】
【０００１】
本発明の実施形態は、モータベースの構造、及びこのモータベースを備えて構成される冷凍サイクル装置の室外ユニットの構造に関する。
【背景技術】
【０００２】
従来の空気調和機の室外機は、圧縮機やアキュムレータ等が備えられた機械室と、熱交換器や送風ファン等が備えられた送風機室とを有している。送風機室内では、モータベースにモータが取付けられ、モータにファンが取付けられ、モータによりファンを駆動し、送風を行っている。
また一般的に、ものを製造する際には、部品等の輸送にも注意を払う必要がある。運搬状態をより良くし、輸送費等の費用はできるだけ削減したい、というニーズは常にある。空気調和機の製造に関しても例外ではなく、輸送を効率的に行うために様々な工夫が行われている。
しかしながら、従来のモータベース構造では、輸送に際し、部品を重ねても無駄な空間が生じていた。このため、数多くの部品を重ねて輸送する場合、かさばってしまい、安定性にも欠けるので、輸送効率が悪いという問題があった。
【先行技術文献】
【特許文献】
【０００３】
【特許文献１】特開２０１４−２０７４０号公報
【特許文献２】特開２０１３−３６７０３号公報
【特許文献３】特開２０１４−３５１３４号公報
【発明の概要】
【発明が解決しようとする課題】
【０００４】
本発明が解決しようとする課題は、定型的に部品を重ねることができ、部品輸送時に安定して積み重ねられ、無駄を省いた輸送効率の良いモータベース及びこれを用いた冷凍サイクル装置の室外ユニットを提供することである。
【課題を解決するための手段】
【０００５】
上記課題を達成するために、実施形態のモータベースは、モータを保持するモータ保持部と、このモータ保持部をはさんで設けられるモータベース上面は、モータベース脚部側に位置する第１上面部と、第１上面部から前面側に連続して設けられる第２上面部と、第２上面部の前側端部から上方に形成される前面固定部と、第２上面部の左右側端部に下方に形成される折曲げ片とを有する。そして、第１上面部の幅をＷａ、第２上面部の幅をＷｂ、折曲げ片の板厚をｔとしたときに、Ｗｂ＞Ｗａ＋２ｔの関係を満たすように第２上面部が前記第１上面部よりも幅広に形成される。
【図面の簡単な説明】
【０００６】
【図１】第１の実施形態による冷凍サイクル装置の室外ユニットを示す斜視図である。
【図２】同実施形態にかかる冷凍サイクル装置の室外ユニットの分解斜視図である。
【図３】同実施形態にかかるモータベースの斜視図である。
【図４】同実施形態にかかるモータベース上面の斜視図である。
【図５】同実施形態にかかるモータベース上面の上面図である。
【図６】同実施形態にかかるモータベースを積み重ねた側面図である。
【図７】第２の実施形態にかかるモータベースの側面図である。
【図８】同実施形態にかかるモータベースを互い違いに複数積み重ねた斜視図である。
【図９】同実施形態にかかるモータベースを互い違いに複数積み重ねた側面図である。
【発明を実施するための形態】
【０００７】
以下、発明を実施するための実施形態について説明する。
（第１の実施形態）
第１の実施形態のモータベース及びこれを用いた冷凍サイクル装置の室外ユニットについて、図１乃至図６を参照して説明する。図１は、第１の実施形態の冷凍サイクル装置の室外ユニットを示す斜視図である。
【０００８】
実施形態の冷凍サイクル装置の室外ユニット１は屋外に設置され、空調室内に設置される少なくとも１台以上の室内機（図示せず）と冷媒配管を介して接続されて、冷凍サイクルを構成する。
室外ユニット１の筐体は、底面を形成する底板１１、正面および側面を構成する前面カバー１２、天井面を構成する天板１３により形成される。前面カバー１２の正面部には、吹出し口１４が設けられると共に、この吹出し口１４を覆うファンガード１５が取付けられる。
室外ユニット１の筐体内部は、仕切板（図示せず）によって、機械室（図示せず）と送風機室２とに区画されている。
【０００９】
図２に示すように、送風機室２には、ファン３が、動力源となるモータ４のシャフト部に取り付けられる。モータ４は、そのシャフト部が室外ユニット１の前面側を向くようにモータベース５に取り付けられる。このモータベース５を構成する各部材は、ファン３やモータ４を安定して支えるために、十分な厚みを有する。また、モータベース５を構成する各部材が、絞り加工やプレス加工等により一体的に形成されており、十分な剛性を有する。
【００１０】
モータベース５は、図３に示すように、モータベース下面５１と、モータベース脚部５２と、モータベース上面５３と、モータ取付面５４と、で構成される。
【００１１】
図４及び図５に示すように、モータベース上面５３は、例えば、モータベース脚部５２の上端を折曲加工により一体に形成される。モータベース上面５３は、モータベース脚部５２側の第１上面部５３ａと、第１上面部５３ａから前面側に連続して設けられる第２上面部５３ｂと、を有している。
さらにモータベース上面５３は、第２上面部５３ｂの前側端部から上方に折曲げて形成される前面固定部５３ｃと、左右側端部に下方に折曲げて形成される折曲げ片５３ｅと、を有している。
【００１２】
第２上面部５３ｂは、第１上面部５３ａよりも幅広に構成される。ここで、第１上面部５３ａの幅をＷａ、第２上面部５３ｂの幅をＷｂ、折曲げ片５３ｅの板厚をｔとすると、Ｗｂ＞Ｗａ＋２ｔの関係を満たすとことが望ましい。
【００１３】
以上のように構成されたモータベース５は、モータベース下面５１は底板１１にネジによって固定される。モータベース上面５３は、前面固定部５３ｃが室外ユニット１の前面カバー１２にネジによって固定される。こうして、モータベース５は室外ユニット１に装着される。そしてモータ４は、モータベース５のモータ取付面５４に取付られる。
【００１４】
また、送風機室２の背面側には熱交換器６が搭載される。モータ４の駆動によりファン３が回転し、室外空気が熱交換器６を介して送風機室２に流れ込む。送風機室２に流れ込んだ空気は、吹出し口１４及びファンガード１５を介して、送風機室２外へ排出される。
【００１５】
第１の実施形態においては、モータベース５を輸送する場合は、図６に示すように、定型的に重ねて運ばれる。
【００１６】
モータベース５を複数積み重ねる際は、第１モータベース５Ａにおける幅の広い第２上面部５３ｂの内側に、第２モータベース５Ｂにおける幅の狭い第１上面部５３ａがはまるように構成される。詳述すると、第１モータベース５Ａの第２上面部５３ｂの下面及び左右両側の折曲げ５３ｅ、５３ｅの間に第２モータベース５Ｂの第１上面部５３ａの上面部分がはまり込む。ここでモータベース上面５３の前面固定部５３ｃは、上方に折曲げられているので、第１モータベース５Ａの第２上面部５３ｂに第２モータベース５Ｂの第１上面部５３ａがはまり込んだ際に、前面固定部５３ｃが邪魔にならない。このように構成されることで、図６に示すように、第２上面部５３ｂの部分が重ね代となり、複数のモータベース５Ａ〜５Ｅを、積み重ね方向上へ向かって直線的に綺麗に積み重ねていくことができる。
【００１７】
このような重ね代を設けず、ただ単に上へと複数のモータベース５Ａ〜５Ｅを積み重ねた場合、積み重ねれば積み重ねるほど、下に位置するモータベースに対して、上に位置するモータベースがモータベース上面５３の厚みＴ分ずつ外側に突出し、側面からみると斜めに重なっていき、安定性に欠ける。また、輸送時に無駄な空きスペースが生じてしまう。しかし、重ね代として、第２上面部５３ｂを設け、第１上面部５３ａよりも幅を広くすることで、無駄なく積み重ねることができる。
【００１８】
よって、第１の実施形態では、定型的に重ねることができ、部品輸送時に安定して積み重ねられ、無駄を省いた輸送効率の良いモータベース及びこれを用いた冷凍サイクル装置の室外ユニットを提供することができる。
【００１９】
（第２の実施形態）
図７乃至図９は、第２の実施形態に係るモータベースを表す図である。この第２の実施形態の各部について、図１乃至図６の第１の実施形態と同一部分は同一符号で示す。
【００２０】
この第２の実施形態が、第１の実施形態と異なる点は、図７に示すように、モータベース上面５３の前後方向の長さを、第１上面部５３ａの長さ（Ｌ）に対して、第２上面部５３ｂの長さを２倍（２Ｌ）とし、さらに、第１上面部５３ａの長さ（Ｌ）をモータベース下面５１の長さと同じ長さ（Ｌ）としたことにある。
【００２１】
このように、モータベース下面５１、モータベース上面５３の第１上面部５３ａ及び第２上面部５３ｂの長さを調整すると、図８及び図９に示すように、モータベース５を、上面と下面を互い違いに積み重ねることができる。
【００２２】
第１モータベース５Ａを、この背面側が地面側を向くように、モータベース取付面５２の背面側を下側として、モータベース下面５１及びモータベース上面５３の前端部が上側を向くように置いた場合、第２モータベース５Ｂを、第１モータベース５Ａとは天地反転させたうえで、第２モータベース５Ｂの背面側を上側として、モータベース下面５１及びモータベース上面５３が下側を向くように第１モータベース５Ａの上に重ねる。さらに第３モータベース５Ｃを、第１モータベース５Ａと同じ方向にして第２モータベース５Ｂの上に重ねる。
【００２３】
このように積み重ねると、第１モータベース５Ａの第２上面部５３ｂに、第２モータベース５Ｂのモータベース下面５１がはまり、第２モータベース５Ｂの第２上面部５３ｂに、第１モータベース５Ａのモータベース下面５１がはまる。
【００２４】
さらに、この二つのモータベース５が重なっている上へ、第３モータベース５Ｃを重ねると、第１モータベース５Ａの第２上面部５３ｂ部分に、第３モータベース５Ｃの第１上面部５３ａがはまるように積み重なる。これに続けて、第４モータベース５Ｄを第２モータベース５Ｂと同じ向きに上へ重ね、第５モータベース５Ｅを第１・第３モータベースと同じ向きに重ねていくことができる。
【００２５】
このように、モータベース５を複数個互い違いに積み重ねていく場合、第１モータベース５Ａが、二つ上の第３モータベース５Ｃまで支えるように構成されるため、安定して積み重ねていくことができる。
【００２６】
上述のように第２の実施形態においても、第１の実施形態と同様に、定型的に重ねることができ、部品輸送時に安定して積み重ねられ、無駄を省いた輸送効率の良いモータベース及びこれを用いた冷凍サイクル装置の室外ユニットを提供することができる。
【００２７】
また、本実施形態では、モータベース５を複数個互い違いに積み重ねていく場合、隙間へのスペーサー等を要さずに、安定して積み重ねていくことができる。このため、輸送時の包装を簡易にすることができる。また、荷崩れしにくい。
【００２８】
なお、本実施形態では、モータベース５は、一体成型されているが、各部品をそれぞれに製造し、組み立てて使用しても良い。
【００２９】
また、本実施形態では、モータベース５の上部は、モータベース上面５３の前面固定部５３ｃが室外ユニット１のカバーに螺着されることで、室外ユニット１に装着されるが、これに限らず、熱交換器６に固定する方法で装着されても良い。
【００３０】
また、本実施形態では、モータベース上面５３を長くし、モータベース下面５１を短くした構成が説明されているが、モータベース上面５３と、モータベース下面５１の長さを同じにしても良い。
【００３１】
また、本実施形態では、第１上面部５３ａ、第２上面部５３ｂを段形状としたが、第２上面部５３ｂが広いテーパ形状としても良い。
【００３２】
以上説明した少なくとも一つの実施形態のモータベース及びこれを用いた冷凍サイクル装置の室外ユニットによれば、定型的に部品を重ねることができ、部品輸送時に安定して積み重ねられ、無駄を省くことができるので、輸送効率の良いモータベース及びこれを用いた冷凍サイクル装置の室外ユニットを提供することが可能となる。
【００３３】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれる。
【符号の説明】
【００３４】
１…室外ユニット、１１…底板、１２…前面カバー、１３…天板、１４…吹出し口、１５…ファンガード、２…送風機室、３…ファン、４…モータ、５…モータベース、５１…モータベース下面、５２…モータベース脚部、５３…モータベース上面、５３ａ…第１上面部、５３ｂ…第２上面部、５３ｃ…前面固定部、５３ｄ…リブ、５３ｅ…折曲げ片、５４…モータベース脚部、５Ａ…第１モータベース、５Ｂ…第２モータベース、５Ｃ…第３モータベース、６…熱交換器、Ｌ…第１上面部５３ａの長さ及びモータベース下面の長さ。
【図１】
0006401039.tif 000002
【図２】
0006401039.tif 000003
【図３】
0006401039.tif 000004
【図４】
0006401039.tif 000005
【図５】
0006401039.tif 000006
【図６】
0006401039.tif 000007
【図７】
0006401039.tif 000008
【図８】
0006401039.tif 000009
【図９】
0006401039.tif 000010